(57)【要約】【課題】  たとえば帯状に形成されたプラスチック製や金属製のバンドを電柱への取り付けや、荷造りに用いる際の締付具において、伸びの無いバンドでも仮締めと、最終締付が手軽にでき、バンドが大きな引張強度で引張られても簡単に解除されない構造の締付具とすること。【解決手段】  片方のバンドを係止しバンド巻込み用の回動レバーを受ける軸受けを有する締付具本体１に、カム状のバンド巻込み軸３でその近傍にバンド用の挿通孔４を設けた回動レバー２を取り付けたバンド締付具とし、バンドの巻込みの後半でカム状の先端の傾きと本体軸受け７の傾斜に沿って、レバー回転軸が前方下部へ摺動して行き、レバーの戻りに対抗する位置関係となりバンドを押えこむような構造とした。【選択図】図５
2007298084.tif 000002
【特許請求の範囲】
【請求項１】
片方のバンドを係止しバンド巻込み用の回動レバーを受ける軸受けを有する締付具本体に、バンド巻込み軸近傍にバンド用の挿通孔を設けた回動レバーを取り付けたバンド締付具において、締付け具本体には回動レバーの回転に従って回転軸が後方上からバンド引張り下方向へ摺動するべく傾斜した台形の軸受けを有し、回動レバーのバンド巻込み軸はカムの形状をし、回動レバーが開かれた状態でバンド挿通孔へ通す際バンドは挿入方向へ鋭角に折返す方向になる様にバンドの厚さより僅かに広い挿通孔がカム形状先端に向かって設置され、かつ回動レバーの回転に従いバンドの固定とカム形状に沿った巻込みが促され、カム形状先端が締付け具本体底面を通過後にはカム形状と本体軸受けの傾斜とにより回動レバーはバンド引張り下方向へ降下しレバーの戻りに対抗する位置関係となりバンドを押えこむように構成されたバンド締付け具。
【請求項２】
前記の回動レバー軸内のバンド挿通孔間隙が平行では無く扇状に開口となっているもの。
【請求項３】
前記の回動レバーカム状巻込み軸先端部を滑り止めの目的で凸凹形状にしたもの。
【発明の詳細な説明】
【技術分野】
【０００１】
本発明は帯状に形成されたプラスチック製や金属製のバンドを電柱への取り付けや、荷造りに用いる際の締付具に関するものである。
【背景技術】
【０００２】
上記のようなバンド締付具において、締付具本体にバンド締付用の回動レバーを回転可能に取付け、その回動レバーのバンド巻込み軸近傍にバンド挿通孔を形成し、上記締付具本体に一端を折返し固定したバンドの他端を、締付具本体に対して回動レバーを開いた状態で、レバー後方から直線的にバンド挿通孔に通して上記回動レバーを締付具本体側に回転させ閉じることによってバンドを巻込み、締付けるようにしたものは知られていた。
【０００３】
【特許文献１】特開平１０−９２２２号
【発明の開示】
【発明が解決しようとする課題】
【０００４】
これら従来の締付具は回動レバーを閉じるに従い、バンド張力がどんどん増加し最終締付時に過大な負荷を要した。従来は可撓性バンドの固定に使用されていた為、締付は可能であったが伸びのほとんど無いポリエステル製のバンドやステンレスバンド等の締付に使用することは不可能であった。
さらに回動レバー挿通孔に通したバンドは自在のままで、このバンドを片手で固定しながら回動レバーを回す必要があった。
これまでもラチェット構造の金属製の締付具を利用すると伸びの無いバンドの締付は可能であったが、これらの締付具は構造が複雑であった。
【課題を解決するための手段】
【０００５】
片方のバンドを係止しバンド巻込み用の回動レバーを受ける軸受けを有する締付具本体に、バンド巻込み軸近傍にバンド用の挿通孔を設けた回動レバーを取り付けたバンド締付具において、締付け具本体には回動レバーの回転に従って回転軸が後方上からバンド引張り下方向へ摺動するべく傾斜した台形の軸受けを有し、回動レバーのバンド巻込み軸はカムの形状をし、回動レバーが開かれた状態でバンド挿通孔へ通す際バンドは挿入方向へ鋭角に折返す方向になる様にバンドの厚さより僅かに広い挿通孔がカム形状先端に向かって設置され、かつ回動レバーの回転に従いバンドの固定とカム形状に沿った巻込みが促され、カム形状先端が締付け具本体底面を通過後にはカム形状と本体軸受けの傾斜とにより回動レバーはバンド引張り下方向へ降下しレバーの戻りに対抗する位置関係となりバンドを押えこむように構成されていることに特徴があり、形状が簡単で作製し易く、仮締めから回動レバーの本体への閉止まで過大な力を必要とせず作動し、バンドが大きな力で引張られても簡単には係止解除されないバンド締付具となる。
【０００６】
バンド挿通孔間隙は仮止めの際の引張り力と戻り力の関係に影響しとても重要であり、通常平行な間隔で良いが、挿入側を排出側より若干広く扇状に開口することで締付力を低減でき、引張り易く戻り難いようなバランスを保て使い易くなる場合もある。
【０００７】
回動レバーカム状巻込み軸先端部は鋭角になっており、バンドの固定がなされる箇所であるので滑りの止めをより強力にする目的で凸凹形状にするのも得策である。
【発明の効果】
【０００８】
このバンド締付け具を用いると伸びのほとんど無いポリエステル製のバンドやステンレスバンド等の締付に際しても、仮止めも行え、約半回転の簡単な動作で締付と閉止ができ、締付け時に十分なバンドの張力を保持したままで、バンド引張り強度と同等の引張り強度を実現可能である。
【発明を実施するための最良の形態】
【０００９】
以下に本発明の一実施形態について述べる。
【実施例１】
【００１０】
本実施形態に係る締付具の実施例として、軟質プラスチック製の成形品として作製し、締付具本体１と回動レバー２を組み合わせ開いた状態を図１に示す。実施例としてバンドはポリエステルバンドを用いバンド２１の片方を締付具本体係止孔９ａから９ｂに取り付け係止し、もう一方のバンド端を巻掛ける相手２２を巻回した後、バンド挿通孔４に通し仮止めの状態にある断面図を図２、回動レバーの回転に伴い挿入されたバンドの固定がカム状先端（中）３ｂで強まり始まる断面図を図３、カム状先端３が締付具本体底面に当り回動レバー回転軸５が最上死点となる断面図を図４、回動レバーが完全に回転し、回動レバー先端係合爪６が締付具本体係合爪受け８と係合、閉止した状態の断面図を図５に示す。
【００１１】
締付具本体１はバンド係止用の２個の係止孔９ａ、９ｂを底面に有し、底面より起立した左右の側面で構成され、係止孔９はバンドを装着し易いようにバンド厚さより十分広いの間隙を有し、バンドが引っかかり易いように波状の凹凸を設けてある。両側面には先端に回動レバー係合爪を受ける係合爪受け８と中央部分に回動レバーの回転軸を受け、回動レバー軸が上下と本体先端下部に摺動可能な形状の軸受け７が設けられている。
回動レバーは左右の軸の間に、カム形状のバンド巻込み軸１０を設け、バンド厚さが０．５ｍｍの場合０．８ｍｍの先端間隙とした挿通孔４を中央部分からをカム形状先端へ向かって設けられている。回動レバー先端付近左右には、本体への固定の為の突出した係合爪６が設けてあり、さらに閉止状態からの解除の目的でドライバーを挿入できるように先端の左右が切り欠いてある１４。
【００１２】
回動レバーの本体への取り付けは回動レバー回転軸に設けられた軸部きり欠き１１を、締付具本体軸受け上部の本体側板上辺内側に設けられた、軸受けきり欠き１２に押し込むことで樹脂製の本体の弾性により、側板が開く事を利用して取り付けられ、取り付けられた回動レバーは回転可能で、上下、前下方向へ可動に取り付けられる。
【００１３】
上記構成でセットしたバンド締付具を用いて、電柱等に防護板等をバンドで固定する場合には、回動レバーを取り付けられたバンド締付具の本体に予めバンドを固定しておく。すなわち固定外周長より長めにバンドを切断しておき、その片方をバンド締付具のレバーが開いた開成状態で、締付具本体後方より本体底面とレバーバンド巻込み軸１０との間へ挿入し、前方のバンド係止孔９ａへ通し本体底下へ排出後、後方へ折返しバンド係止孔９ｂから本体底面上部へ通し排出し、さらに後方へ伸張した位置で固定しておく。この状態でバンドの本体への片方の固定は完了する。
【００１４】
このバンド締付具へ片方を固定したバンドを用いて、電柱等に取り付ける防護板等を巻込み、図２のようにもう片方のバンド端をバンド締付具前方より本体底面とバンド巻込み軸との間へ挿入し、さらにその端をバンド挿通孔（挿入側）４ａから挿入し、バンド挿通孔（排出側）４ｂへ排出させておく。
【００１５】
この時点で、バンドが平状になろうとする弾性により、回動レバーには上に持ち上げられる力が働き、締付具本体の台形の軸受け形状に沿って、上死点まで持ち上がる。巻き付けられたバンドのたわみを確認して調整しバンド挿通孔より上方へ排出されたバンドをさらに引っ張り仮止めを強固にしておく。
【００１６】
手を持ち替え、回動レバーの先端を締付具本体の前方方向へ回転させると、バンド巻込み軸とバンド挿通孔が回転し、増加するバンド経路によって生じる戻りに対する抵抗を上限とした引張り抵抗値でバンドの巻込みが始まる。初期仮止めの際のバンドの緩みが大きい場合にはここで巻き取りが進むが、初期仮止めが十分になされている場合にはここで巻き取りは殆ど進んで行かない。さらに回転を進め、図３に示すようにバンド挿通孔から排出されたバンドがカム状先端（中）３ｂに押さえ込まれ、排出経路が鋭角になり始める頃から、バンドの戻りに対する抵抗は激増し、バンドの固定が始まり以後バンドはバンド巻込み軸に巻き込まれて行く。
【００１７】
さらに回転を進め、図４の様にカム状先端（外）３ａが締付具本体底面を通過する際、回動レバーはその回転軸５が上死点となり、以後カム形状により巻き取りは増していきながら、同時にカム状の先端の傾きと、本体軸受けの傾斜に沿って、レバー回転軸は前方下部へ摺動して行く。この動作は巻込みを続けながら、バンドの張力に応じて回動レバーが前方下部へ摺動して行くことになり、バンドの張力に応じてカム状先端と締付具本体底面との挟み込みの力も増していく。
【００１８】
最終締付に至るに従い巻込み軸回転による巻込みによって生じる張力は、回動レバーの前方下部への摺動により吸収され、下部の挟み込み力とのバランスで直線的には増大しては行かない為に、回動レバーの最終係止に強固な力は必要なく最終的には図５の様に回動レバー先端の係合爪６が本体系合爪受けと系合し、閉止状態となる。
【００１９】
閉止状態において、何らかの原因でバンドの引張り力が増加した場合に、カム状先端とレバー回転軸が摺動する本体軸受けの構造はレバーの戻りに対抗する位置関係となっており、戻る方向の張力はカム状先端を起そうとし、すなわち回動レバーが上昇する方向に力が働くことになり、これはバンドの引張り力に対抗しておりバンドの引っ張り力の増加がそのまま、回動レバーの回転の戻り力には働かない、つまり回動レバー先端の系合爪を開こうとする負荷もそのまま増加してはいかない。
この構造がこのバンド締付具の閉止状態保持を強固にすることになっている。
【産業上の利用可能性】
【００２０】
本考案は、例えば電柱の周面に、ケーブルや電線管もしくは防護板等を固定したり、広告・街路灯等の支持ブラケットを取付ける際に用いるいわゆる電柱バンド等の各種可撓性バンドを締付固定するためのバンド締付具に利用したり、金属鋼材の荷物の結束用に用いられるバンドや軽量梱包の為に利用されるバンドの締付具として利用可能である。
【図面の簡単な説明】
【００２１】
【図１】回動レバーを本体に取り付けた図（実施例１）
【図２】開成状態でバンドを仮止めした図（実施例１）
【図３】回動レバーの回転に伴いバンドの固定が始まる図（実施例１）
【図４】回動レバーが最上死点にある図（実施例１）
【図５】回動レバーが本体に系合し閉止状態となった図（実施例１）
【符号の説明】
【００２２】
１  締付け具本体
２  回動レバー
３ａカム状先端（外）
３ｂカム状先端（中）
４ａバンド挿通孔（挿入側）
４ｂバンド挿通孔（排出側）
５  回動レバー回転軸
６  係合爪
７  本体軸受け
８  本体係合爪受け
９ａ本体バンド係止孔（前）
９ｂ本体バンド係止孔（後）
１０バンド巻込み軸
１４バンド先端切欠き
２１電柱、荷等
２２バンド
【図１】
2007298084.tif 000003
【図２】
2007298084.tif 000004
【図３】
2007298084.tif 000005
【図４】
2007298084.tif 000006
【図５】
2007298084.tif 000007